(57)【要約】      （修正有）【課題】一般ユーザが簡易に投稿できるシステムと、それにより収集された情報をインターネット広告・販促に繋げるシステムを提供する。【解決手段】企業のデータベース１９ａと、参加者のデータベース１９ｂ−１と、各キャリアのモバイル端末（携帯・スマートフォンなど）から写真添付メール機能を介して送信される画像データベース１９ｂ−２−１とテキストデータベース１９ｂ−２−２を解析・展開させ、管理サーバー１０で一元管理する手段と、画像データとテキストデータを選択してフォトムービーを作成する手段と、作成したフォトムービーを予め登録したＷＥＢサイトとＦａｃｅｂｏｏｋページにジャンプする手段と、ポータルサイトに表示させるためのジャンプ表示制御手段とを有する、モバイル端末の写真添付メール機能を利用した投稿システムである。【選択図】図１
2013101578.tif 000002
【特許請求の範囲】
【請求項１】
各キャリアのモバイル端末の写真添付メール機能を利用した投稿システムにおいて、モバイル端末（携帯・スマートフォンなど）から写真添付メール機能を介して送信される画像とテキストを一元管理するシステム
【発明の詳細な説明】
【技術分野】
【０００１】  本発明は、各キャリアのモバイル端末（携帯・スマートフォンなど）から写真添付メール機能を介して送信される写真とメール本文の一元管理に関する。
【背景技術】
【０００２】  従来、モバイル（携帯・スマートフォンなど）の写真添付メール機能から送信されるデータの一元管理は写真のみ若しくはメール本文のみであった。又、写真とメール本文両方の投稿方法としては、該当するサイトにログインをしそのサイト内の投稿ページで投稿することが常識となっていた。
【先行技術文献】
【０００３】
【非特許文献１】特開２００８−２３４５３０号公報
【発明の概要】
【発明が解決しようとする課題】
【０００４】  従来のサイト内で行う投稿は手順に手間が掛かり投稿するのは一部のユーザーに限られていた。一般的なサイトでの投稿手順は下記の通りである。
（１）パソコン又はモバイルを利用し投稿サイトへアクセスする。
（２）投稿ページへ進み登録に必要な項目を入力し送信する。その際投稿する際に使用するログインＩＤ・パスワードの設定を行う。
（３）投稿する際は当該サイトへアクセスをして投稿ページへ進む。予め設定をしたログインＩＤ・パスワードを入力する。写真を貼り付けメール本文を入力して送信する。
上記の方法は投稿に慣れていないユーザーにとっては時間や手間が掛かる上、パスワードを失念し投稿を途中でやめてしまう（ログアウト）ケースも少なくない。【０００５】  本発明は、このような従来のシステムの構成が顧客にとってハードルの高いものであった問題を解決し、誰でも気軽に投稿出来る環境を整えることで幅広い層からの情報を収集するシステムと、収集された顧客サイドからの情報を企業の広告・販促に繋げていくシステムを提供することを目的とする。
【課題を解決するための手段】
【０００６】  上記の目的を達成する本発明の要は、投稿システムの中に顧客にとって最も身近で使いなれた写真添付メール機能を用いた点である。
しかし、画面の表示やメールの仕様などが異なる各モバイル端末・キャリアから送信される画像・テキストデータ両方を解析・展開を行わせることは、システム上困難であった。本発明は、困難であったデータの解析・展開を、キャリア情報の違いを取得する文言やスマートフォンのローカル設定に左右されない対応を細かく組込むことで解決をし、さらに顧客にとって最大限簡易化した投稿システムを構築したものである。【０００７】  上記の他、従来の投稿手段の改善点は下記である。
（１）従来、投稿する際に必要であったＩＤ・パスワードを、当サーバーから送信された投稿サイトのＵＲＬに直接アクセスすると同時に投稿ページにログインすることで登録者データとの一致を確認するシステム処理を行うことで、投稿者が失念しやすいログインＩＤ・パスワードの設定を省略した。
（２）本来、画像とテキストを記憶させるデータベースは別々のものであるため、従来、モバイル端末から送信される画像とメール本文を解析する場合、画像とメール本文は別々に送信することを必要としていたが、画像とメール本文を同時に受信しシステム内で解析するシステム処理を行うことで、投稿者が送信する回数を２回から１回に減らした。
【発明の効果】
【０００８】  本発明の効果は、誰もが気軽に使える投稿システムにすることで、収集できる情報量を大幅に増加させる事が可能となる点である。更に今まで参加層に偏りのあった情報内容についても必然的に均等化が図られ、企業は消費者に信頼される情報を発信することができる。
【図面の簡単な説明】
【０００９】
【図１】本発明によるモバイル端末の写真添付メール機能を利用した投稿システムの概要構成図である。
【図２】本発明によるモバイル端末の写真添付メール機能を利用した投稿システムを使用した、温泉旅館の宿泊客参加型インターネット広告・販促システムの概要図である。
【発明を実施するための形態】
【０００９】  以下図面を参照して投稿システムの概要を説明する。
図１は本発明による写真添付メール機能を利用した投稿システムの概要構成図である。管理サーバー１０は、本システムの主たる機能を担う基幹サーバーであり、適切なコンピューターに所定のプログラムを導入することで実施される。管理サーバー１０は当該システムを利用する企業２１の企業登録１１を行う。企業２１は登録企業専用ページ１８ａ内に投稿参加者のデータベースを処理する手段１８ｂ−１と投稿歴のデータベースを処理する手段１８ｂ−２を有する。
【０００１０】  各キャリアの各モバイル、スマートフォン３１や携帯３２を使用して投稿する顧客は、投稿サイト１３のＱＲコードを読み込み参加者登録内容を入力し送信する。参加者登録を受信したデータ処理部１８は参加者登録を記憶し投稿サイトのＵＲＬを記載した参加者登録完了メール１５を自動送信する。
【０００１１】  投稿者は、受信した参加者登録完了メール１５の中に記載された投稿サイトへアクセスし、投稿する。投稿手順は写真（画像）を添付しメール本文（テキスト）を入力して送信する。この手順は、通常の写メ送信と同様でありモバイル端末を使いなれている一般ユーザーにとっては至って簡易である
【０００１２】  投稿者より送信された画像とテキストは管理サーバー１０の画像・テキスト受信部１６で受信し、データの解析・展開１７を行う。
【０００１３】  登録企業別のデータ処理部１８ｂで、解析・展開されたデータの表示および検索手段を行う。
【０００１４】  データ記憶部１９は、データ処理部１８と連携して機能し、本システムに関連する各種データベースを管理している。主なデータベースとしては、企業登録データベース１９ａ、参加者データベース１９ａ−１、投稿データベース１９ａ−２がある。これらのデータベースは互いに共通するデータ項目を介して関係しており、全体を１つのデータベースとみなすこともできる。
【０００１５】  登録企業は予め設定をしたログインＩＤ・パスワードを入力し、参加者情報・投稿内容情報を閲覧することができる。
【０００１６】  図２は、本発明による写真添付メール機能を利用した投稿システムを活用した旅館向け「顧客参加型インターネット広告・販促システム」の概要構成図である。
【０００１７】  前述の旅館向けシステムは、図１の投稿システムで参加者情報・投稿情報（画像・テキスト）を収集し、旅館の認知度アップ・旅館の公式サイトでの予約率促進を目的としたものである。
【０００１８】  前述の旅館向けシステムは、旅館が宿泊者の協力を得ながら個々の旅館の良さをリアルタイムなインターネット広告とすることができ、パンフレットやチラシなどの紙媒体での広告費の削減、旅館の公式サイトでの予約促率を高めるシステムにすることで、現宿泊予約サイトのへ媒介料の削減などの効果を期待できるものである。さらに、複数の温泉旅館を一元管理するシステムにすることでシステム利用料を安価で提供することが可能である。
【０００１９】  管理サーバー１０は前述の「顧客参加型インターネット広告・販促システム」に登録した旅館全体のサーバーである。
【０００２０】  システム登録した旅館は、図１の投稿システムで収集された画像データとテキストデータの中からインターネット上で広告・販促に使用するデータを投稿内容表示欄で選択チェックを入れる４１。
チェック表示のある投稿データは、下記の形式に転送される。
使用するデータは選択された画像及びテキスト（ニックネーム・年代・カテゴリ・メール本文）である。
フォトムービー４２。投稿データが一定量に達した後、旅館側のチェックが完了したことを確認の上製作。製作したフォトムービーは、旅館の公式サイトにＹｏｕＴｕｂｅでアップすることができる。
【０００２１】  前述のフォトムービーは、弊社運用・管理のＦａｃｅｂｏｏｋページ５２にも順次アップする。投稿参加者にはＦａｃｅｂｏｏｋページへのアップ時期を案内することで、Ｆａｃｅｂｏｏｋページへの訪問を促す。更に参加旅館が増えるにつれてＦａｃｅｂｏｏｋページの更新度が高くなると共に投稿参加者数も増えていくことは、Ｆａｃｅｂｏｏｋ特有の大きな拡散効果を期待できるものである。尚、順次アップされたフォトムービーには、旅館案内・公式サイトのアドレスの記載があり、もっと知りたいと思うユーザが旅館の公式サイトへアクセルできる環境を整え、旅館公式サイト５３への誘導を促すものである。
【０００２２】  ポータルサイト４３。登録旅館全体のポータルサイトである。今のポータルサイトにはない新しい機能として投稿データ検索がある。この検索機能はサイト訪問者がサーバーに記憶されている投稿データを年代別・カテゴリー別・キーワード別など自由に検索して見ることができる。このポータルサイト・旅館の公式サイト・弊社のＦａｃｅｂｏｏｋページをリンクさせ、更に旅館の知名度・予約率アップを促進するものである。
【０００２３】  以上、本発明を使用した販促システムの実施例を図面に基づいて説明したが、本発明はこれに限定されるものではなく更に別の態様においても実施される
【０００２４】  例えば、前述の実施例においては、旅館が宿泊者の協力を得ながら個々の旅館の良さをリアルタイムにインターネットで発信するシステムの提案であるが、多くの店舗を持つブランド・メーカーなどは、全店舗でのマーケティング・リサーチを低コストで行い来店動機を促すシステムの提供が可能であり、様々な業種で応用できるシステムである。
【図１】
2013101578.tif 000003
【図２】
2013101578.tif 000004